(57)【特許請求の範囲】
【請求項１】
放送局からの電波を受信してスピーカから音声を出力するとともに、文字データを表示器に表示するＲＤＳ（ラジオ・データ・システム）受信機において、主に放送局名を表示させるために放送局から送られてくる８桁のＰＳ（プログラム・サービスネーム）データが、８桁ともブランクデータであるかどうかを判定する手段と、８桁ともブランクデータである場合には、他の代替えデータを表示させる制御手段とを備えたＲＤＳ受信機。
【請求項２】
ブランクデータが一定時間続いた場合にのみ、代替えデータを表示することを特徴とする請求項１記載のＲＤＳ受信機。
【発明の詳細な説明】
【０００１】
【発明の属する技術分野】
本発明は、放送電波を受信して音声を出力するとともに、文字データを表示器に表示可能なＲＤＳ（ラジオ・データ・システム）受信機に関する。
【０００２】
【従来の技術】
図４は従来のＲＤＳ受信機の概略構成を示している。１はアンテナ、２はチューナ部、３は検波部、４は増幅器、５はスピーカ、６は文字データ処理部、７は液晶ディスプレイ等の表示器である。アンテナ１で受信した電波は、チューナ部２で選局され、検波部３で復調されて音声信号が取り出され、増幅器４で低周波増幅した後、スピーカ５から出力される。一方、検波部３で復調された信号の一部から、文字データ処理部６で文字データが復調され、表示器７に表示される。
【０００３】
表示器７に表示される文字データには、受信している放送局の放送局名を表示するためのＰＳ（プログラム・サービスネーム）データがある。このＰＳデータは、８桁の英数字および記号からなり、ヘッダの識別子によりＰＳデータであることが分かるようになっている。図５はこのＰＳデータの表示処理を示し、ＰＳデータを受信し、それがＰＳデータであることが確定すると、そのままＰＳ表示を行うが、受信状態の悪化等によりＰＳデータを含めＲＤＳデータが受信できない場合は、その以前のデータを確定データとして表示するようになっている。
【０００４】
【発明が解決しようとする課題】
しかしながら、上記従来のＲＤＳ受信機では、ＰＳデータの８桁がすべてブランクであるブランクＰＳデータが放送局から送られてくることがあり、このようなブランクＰＳデータを受信すると、表示器には何も表示されないため、ユーザは受信機が故障したと思い、販売店にクレームを申し立てることになる。また、そのことを承知している場合でも、表示器に何も表示されないことは、感覚的に違和感を生じさせる。
【０００５】
本発明は、このような従来の問題を解決するものであり、ブランクＰＳデータが送られてきた場合には、何等かの表示ができるようにしたＲＤＳ受信機を提供することを目的とする。
【０００６】
【課題を解決するための手段】
本発明は、上記目的を達成するために、ブランクＰＳデータを受信した場合には、ＰＳデータ以外の他の代替えデータを表示するようにしたものである。これにより、従来の何も表示されないことによる、ユーザの勘違いや違和感を回避することができる。
【０００７】
【発明の実施の形態】
本発明の請求項１に記載の発明は、放送局からの電波を受信してスピーカから音声を出力するとともに、文字データを表示器に表示するＲＤＳ（ラジオ・データ・システム）受信機において、主に放送局名を表示させるために放送局から送られてくる８桁のＰＳ（プログラム・サービスネーム）データが、８桁ともブランクデータであるかどうかを判定する手段と、８桁ともブランクデータである場合には、他の代替えデータを表示させる制御手段とを備えたＲＤＳ受信機であり、従来の何も表示されないことによる、ユーザの勘違いや違和感を回避することができるという作用を有する。
【０００８】
本発明の請求項２に記載の発明は、ブランクデータが一定時間続いた場合にのみ、代替えデータを表示することを特徴とする請求項１記載のＲＤＳ受信機であり、ブランクＰＳデータを確実に検出することができるという作用を有する。
【０００９】
以下、本発明の実施の形態を図面を参照して説明する。
（実施の形態）
図１は本発明の実施の形態におけるＲＤＳ受信機の概略構成を示している。図１において、１１はアンテナ、１２はチューナ部、１３は検波部、１４は増幅器、１５はスピーカ、１６は文字データ処理部、１７は液晶ディスプレイ等の表示器である。文字データ処理部１６は、ブランクＰＳデータ判定部１８および代替え表示制御部１９を有する。アンテナ１１で受信した電波は、チューナ部１２で選局され、検波部１３で復調されて音声信号が取り出され、増幅器１４で低周波増幅した後、スピーカ１５から出力される。一方、検波部１３で復調された信号の一部から、文字データ処理部１６で文字データが復調され、表示器１７に表示される。
【００１０】
図２は本実施の形態におけるブランクＰＳデータ判定部１８および代替え表示制御部１９の動作を示している。まずステップ２１で、ＰＳデータの８桁のすべてがブランクであるか否かを判定するＰＳデータブランクチェックが行われる。次にステップ２２で、全てブランクではない、すなわちブランクＰＳデータでない場合（ブランクＰＳデータが受信できない場合も含む。）は、ステップ２３へ進み、ブランクＰＳデータ判定部１８に設けられたブランク表示許可タイマをセットして５秒のカウントを開始し、ステップ２４のＰＳ表示へ進み、通常のＰＳ表示を行う。ステップ２３の処理は、ダイナミックＰＳ等、一時的なブランクＰＳデータに対して誤動作しないように、ステップ２５でブランクＰＳデータが５秒間続いた時のみ、真のブランクＰＳデータと判定するためである。
【００１１】
ステップ２２で、ＰＳデータの全てがブランクである、すなわちブランクＰＳデータの場合は、ステップ２５へ進む。ステップ２５では、ステップ２３のブランク許可表示タイマが５秒のカウント中か、既に５秒のカウントを終了しているかを判定する。タイマが５秒のカウント中である場合は、ブランクＰＳデータを未だ５秒間続けて判定していないということであり、ステップ２４で、ＰＳ表示を続ける。タイマの５秒のカウントを終了している場合は、ブランクＰＳデータを既に５秒間続けて判定したということであり、ステップ２６へ進む。ステップ２６では、代替えの内容、例えば受信周波数、ＰＴＹ（プログラム・タイプ）、またはブランクＰＳデータを受信中である等のメッセージを表示させる。
【００１２】
図３は図２におけるＰＳデータブランクチェック２１の詳細を示している。まずステップ３１で、ＰＳデータを確定する。この時、受信状態の悪化などにより、ＰＳデータを含むＲＤＳデータが受信できない場合は、それ以前のデータを確定データとする。次にステップ３２、３３で８桁のＰＳデータのうち、最初の１桁をチェックし、チェックした桁がブランク表示すべきデータでなければ、ステップ３５で、ブランクではないと判定し、チェックした桁がブランク表示すべきデータである場合は、ステップ３４で８桁全てのチェックが完了するまで、チェックを繰り返し、８桁ともブランク表示すべきデータと判定されると、ステップ３６で、全てがブランクであると判定される。
【００１３】
以上のように、本実施の形態によれば、ＰＳデータを受信した際に、ブランクＰＳデータが５秒間続いた場合にのみ、ＰＳデータの代わりに、代替えデータを表示するので、ダイナミックＰＳ等、一時的なブランクＰＳデータに対して誤動作することなく、ブランクＰＳデータを確実に検出して、代替えデータを表示することができる。
【００１４】
【発明の効果】
本発明は、上記実施の形態から明らかなように、ブランクＰＳデータを受信した場合には、ＰＳデータ以外の他の代替えデータを表示するようにしたので、従来の何も表示されないことによる、ユーザの勘違いや違和感を回避することができるという効果を有する。
【図面の簡単な説明】
【図１】本発明の実施の形態におけるＲＤＳ受信機の概略構成を示すブロック図
【図２】本実施の形態におけるＰＳデータ表示処理を示すフロー図
【図３】本実施の形態におけるＰＳデータブランクチェック処理を示すフロー図
【図４】従来例におけるＲＤＳ受信機の概略構成を示すブロック図
【図５】従来例におけるＰＳデータ表示処理を示すフロー図
【符号の説明】
１１  アンテナ
１２  チューナ部
１３  検波部
１４  増幅器
１５  スピーカ
１６  文字データ処理部
１７  表示器
１８  ブランクＰＳデータ判定部
１９  代替え表示制御部
【図１】
0003889166.tif 000002
【図２】
0003889166.tif 000003
【図３】
0003889166.tif 000004
【図４】
0003889166.tif 000005
【図５】
0003889166.tif 000006